(57)【特許請求の範囲】
【請求項１】
複数のノードがリング状に接続され、各ノードから隣接ノードに向かう第１、第２方向に信号を伝送可能であり、各伝送方向に現用回線及び予備回線が設けられるネットワーク、における信号伝送方法であって、
ネットワークの伝送路に障害が生じていない場合には、各ノードが、第１階層の第１信号を送信又は受信するときに、第１又は第２方向に隣接するノードに対し、現用回線を介して、第１信号を１又は複数収容した第２階層の第２信号を転送し、
ネットワークの伝送路に障害が生じた場合には、障害箇所の端に位置する第１ノードが、前記第２信号に基づいて第２信号の伝送方向を切り替えて予備回線に前記第２信号を送出するとともに、第１信号の送信元又は受信先となる第２ノードが、前記第１信号及び前記第２信号に基づいて第１信号の経路が前記障害箇所を回避するように、前記第１信号の送信方向又は受信方向として第１、第２方向のいずれかの方向を選択する、
信号伝送方法。
【請求項２】
前記第２ノードが第１、第２方向のいずれかの方向を選択することは、
仮にネットワークの伝送路に障害が生じていない場合における送信又は受信対象となる第１信号の経路上に、障害箇所が存在するときには、前記第１信号を収容する第２信号の送信方向又は受信方向を逆向きに切り替え、
前記経路上に前記障害箇所が存在しないときには、前記第１信号を収容する第２信号の送信方向又は受信方向を逆向きに切り替えないようにして行われる、
請求項１に記載された信号伝送方法。
【請求項３】
前記第１ノードが、前記第２ノードの送信対象又は受信対象となる前記第１信号に対して、障害が発生したことを示す第１情報を付加して第２ノードへ送信すること、
をさらに備え、
前記第２ノードが第１、第２方向のいずれかの方向を選択することは、
前記第２ノードが、前記第１情報が付加された第１信号を受信したときに、自ノードに隣接するノードの内、受信した前記第１信号を自ノードに送信したノードとは反対の位置にあるノードに対して、新たに前記第１信号を送信する、又は、反対の位置にあるノードから新たに前記第１信号を受信するようにして行われる、
請求項１又は２に記載された信号伝送方法。
【請求項４】
ネットワーク内のノードが、ネットワークにおけるノード間の接続状態を示すトポロジ情報を共有し、
送信対象又は受信対象となる第１信号のネットワークにおける経路情報を、当該第１信号の送信元又は受信先となる前記第２ノードが取得し、
ネットワークの伝送路に障害が生じた場合には、前記第２ノードが、前記第１ノードから前記障害箇所を特定するための障害箇所情報を取得すること、
をさらに備えた、請求項１又は２に記載された信号伝送方法。
【請求項５】
複数の伝送装置がリング状に接続され、各伝送装置から隣接伝送装置に向かう第１、第２方向に信号を伝送可能であり、各伝送方向に現用回線、予備回線が設けられるネットワーク、に属する伝送装置であって、
ネットワークの伝送路に障害が生じていない場合には、第１階層の第１信号を送信又は受信するときに、第１又は第２方向に隣接する伝送装置に対し、現用回線を介して、第１信号を１又は複数収容した第２階層の第２信号を転送する送受信部と、
ネットワークの伝送路に障害が生じ、かつ、障害箇所の端に位置する場合には、第２信号の伝送方向を切り替えて予備回線に前記第２信号を送出する第１処理部と、
前記障害が生じ、かつ、第１信号の送信元又は受信先となる場合には、第１信号の経路が前記障害箇所を回避するように、前記第１信号の送信方向又は受信方向として第１、第２方向のいずれかの方向を選択する第２処理部と、を備え、
前記第１処理部は、前記第２信号に基づいて前記第２階層で切り替えを行う第１切替制御部を有し、
前記第２処理部は、前記第１信号及び前記第１切替制御部から与えられる第２信号に基づいて切り替えを行う第２切替制御部を有する、
伝送装置。
【請求項６】
前記第２処理部は、
仮にネットワークの伝送路に障害が生じていない場合における送信又は受信対象となる第１信号の経路上に、障害箇所が存在するときには、前記第１信号を収容する第２信号の送信方向又は受信方向を逆向きに切り替え、
前記経路上に前記障害箇所が存在しないときには、前記第１信号を収容する第２信号の送信方向又は受信方向を逆向きに切り替えないようにする、
請求項５に記載された伝送装置。
【請求項７】
送信対象又は受信対象の第１信号であって障害が発生したことを示す第１情報が付加された第１信号、を受信したときには、自装置に隣接する伝送装置の内、受信した前記第１信号を自装置に送信した伝送装置とは反対の位置にある伝送装置に対して、新たに前記第１信号を送信する、又は、反対の位置にある伝送装置から新たに前記第１信号を受信するように、前記第１信号の送信方向又は受信方向を決定する、
請求項５又は６に記載された伝送装置。
【請求項８】
ネットワークにおけるノード間の接続状態を示すトポロジ情報と、送信対象又は受信対象となる第１信号のネットワークにおける経路情報と、を保持し、
ネットワークの伝送路に障害が生じた場合には、障害箇所の端に位置する他の伝送装置から障害箇所を特定するための障害箇所情報を取得する、
請求項５又は６に記載された伝送装置。
【発明の詳細な説明】
【技術分野】
【０００１】
本発明は、複数のノードがリング状に接続されるネットワークにおいて、伝送路の故障時のプロテクション技術に関する。
【背景技術】
【０００２】
次世代の光通信ネットワーク（ＯＴＮ：Optical Transport Network）の通信規格は、ITU-T（International Telecommunications Union-Telecommunication Standardization Sector）勧告G.709として検討が進められている。この通信規格では、SONET（Synchronous Optical Network）／SDH（Synchronous Digital Hierarchy）と同様の階層構造(ＯＰＵ／ＯＤＵ／ＯＴＵの３階層)が定義されている。
【０００３】
ITU-T勧告G.709で定義されているＯＴＮフレームフォーマットを図１に示す。ＯＴＮフレームは、例えば図１（ａ）に示すように、４行（Row）×１４列（Column)（バイト）のＯＤＵ（Optical channel Data Unit）オーバヘッド(OH: Overhead)と、このＯＤＵオーバヘッドに続く４行×２列のＯＰＵ（Optical channel Payload Unit）オーバヘッド(OH: Overhead)を含む。各オーバヘッドには、保守運用のための制御信号がマッピングされている。さらに、ＯＴＮフレームは、ＯＰＵオーバヘッドに続くＯＰＵｋペイロード、ＯＴＵ  ＦＥＣ(Optical channel Transport Unit Forward Error Correction)を含む。
【０００４】
図１（ｂ）は、ＯＴＮフレームの内、ＰＭフィールドとＴＣＭフィールドのフォーマットを示している。ＴＴＩ(Trail Trace Identifier)フィールドは、図１の（ｂ）に示すように、送信元アクセスポイント識別子（ＳＡＰＩ：Source Access Point Identifier）、送信先アクセスポイント識別子（ＤＡＰＩ：Destination Access Point Identifier）及びオペレータ仕様情報（Operator Specific）を含む。アクセスポイント識別子は、対象となるレイヤにおいてグローバルユニークな値をとる。ＰＭ（Path Monitoring）フィールド、ＴＣＭ（Tandem Connection Monitoring）ｉ（ｉ＝１〜６）フィールドの３バイト目には、それぞれ、ＢＥＩ／ＢＩＡＥ（Backward Error Indication / Backward Incoming Alignment Error）、ＢＤＩ(Backward Detection Indication)及びＳＴＡＴ（Status）の各情報がマッピングされる。ＳＴＡＴは、ＯＤＵｋレイヤの警報に関する情報を表す。
【０００５】
また、ITU-T勧告G.709では、任意のビットレートのクライアント信号の収容を容易に実現するために、ＨＯ／ＬＯ−ＯＤＵ(Higher Order/Lower Order - Optical Data Unit)の２階層のＯＤＵコンセプトが検討されている。図２に示すように、このコンセプトでは、ＳＴＭ(Synchronous Transport Module)−１６、ＡＴＭ（Asynchronous Transfer Mode）、ＧＦＰ(Generic Frame Procedure)の信号等、様々な形式のクライアント信号(Client Layer Signal)がＬＯ−ＯＤＵに収容（マッピング）される（図２（ａ））。そして、１又は複数のＬＯ−ＯＤＵがＨＯ−ＯＤＵに多重収容（マッピング）される（図２（ｂ））。
【０００６】
ところで、ＯＴＮのプロテクション技術は、ITU-T勧告G.873.1 (ODUk Linear protection)として規定されている。このODUk Linear Protectionの例を図３に示す。
【０００７】
図３に示すプロテクションでは、プロテクションが適用される領域(Protected Domain)（図３の例では、ノードＮ２とノードＮ５の間の領域）が定められる。図３では、ノードＮ２が送信ノードであり、ノードＮ５が受信ノードである。ここで、ノードＮ２→Ｎ１→Ｎ６→Ｎ５に対して、現用回線として動作するワーキングエンティティ(working entity)が設定される。また、ノードＮ２→Ｎ３→Ｎ４→Ｎ５に対して、予備回線として動作するプロテクションエンティティ(protection entity)が設定される。送信側のノードＮ２は、ブリッジ（送信すべき信号を現用回線から予備回線に対してコピーする処理）を実行する。受信側のノードＮ５は、セレクタ（現用回線又は予備回線のいずれかから良品質の信号を選択する処理）として動作する。ここで、例えばノードＮ５とノードＮ６の間の伝送路に障害が生じたとしたならば、現用回線からノードＮ５で受信される信号が劣化するので、ノードＮ５は予備回線から受信される信号を選択する。
【０００８】
なお、SONET／SDHのプロテクション技術は、ITU-T勧告G.841として規定されている。また、SONET／SDHのプロテクションに関連する技術は、例えば特許文献１、２に開示されている。
【先行技術文献】
【特許文献】
【０００９】
【特許文献１】特開２００２−２１７９２７号公報
【特許文献２】特開２００１−３３９４１６号公報
【発明の概要】
【発明が解決しようとする課題】
【００１０】
上述したＨＯ／ＬＯ−ＯＤＵに、SONET／SDHのリングプロテクションを適用することを想定する。例えば、ＨＯ−ＯＤＵを隣接ノード間で終端させ、各ノードではＢＬＳＲ(Bidirectional Line Switched Ring)と同様の動作がＨＯ−ＯＤＵレベルで適用されうる。ＬＯ−ＯＤＵは、任意のノードでadd又はdropされる。このとき、現用回線上のＨＯ−ＯＤＵの経路上で障害が生じた場合には、プロテクションスイッチが動作して、現用回線上の伝送方向とは逆方向の予備回線へＨＯ−ＯＤＵが送出される。このようにリングプロテクションを構成した場合、ＨＯ−ＯＤＵにマッピングされるＬＯ−ＯＤＵのネットワーク上の伝送経路は、上記のＨＯ−ＯＤＵレベルのプロテクションスイッチ動作によって、結果として障害端で折り返したことになる。
ところで、このようなリングプロテクションの構成では、ＨＯ−ＯＤＵレベルのプロテクションスイッチ動作によって、ＬＯ−ＯＤＵの経路が冗長となり、大きな伝送遅延が生ずる虞がある。この点について、図４を参照して説明する。
【００１１】
図４は、例えば６個のノードＮ１〜Ｎ６からなるネットワークにおいて、ＨＯ−ＯＤＵレベルのプロテクションスイッチ動作によって生ずる問題点を説明するための図である。図４では、各ノードのWest側を「Ｗ」と表示し、各ノードのEast側を「Ｅ」と表示してある。図４に示す例では、ノードＮ３とノードＮ４の間の伝送路が障害箇所となっている。
図４（ａ）は、ネットワークの伝送路に障害が生じていない場合（正常時）のＬＯ−ＯＤＵの経路の一例を示している。この例では、ノードＮ２のEast側からＬＯ−ＯＤＵを送信（add）し、順にノードＮ３、Ｎ４、Ｎ５の経路を採り、ノードＮ５のWest側で受信（drop）する経路が示されている。このとき、送受信対象のＬＯ−ＯＤＵはＨＯ−ＯＤＵにマッピングされ、ＨＯ−ＯＤＵがノード間を現用回線で伝送される。なお、伝送されるＨＯ−ＯＤＵは、各ノードで終端している。
【００１２】
図４（ｂ）は、ネットワークの伝送路に障害が生じた場合に、ＨＯ−ＯＤＵレベルのプロテクションスイッチ動作を行ったときのＬＯ−ＯＤＵの経路を示している。この場合、ノードＮ２のEast側からＬＯ−ＯＤＵを送信（add）し、このＬＯ−ＯＤＵを収容したＨＯ−ＯＤＵがノードＮ３へ伝送される。ノードＮ３は障害端であるため、伝送されてきたＨＯ−ＯＤＵは予備回線へ折り返し、Ｎ２→Ｎ１→Ｎ６→Ｎ５→Ｎ４の順にノードを伝送される。そして、ノードＮ４は障害端であるため、予備回線で伝送されてきたＨＯ−ＯＤＵは現用回線へ折り返し、ノードＮ５へ伝送される。最後に、ＬＯ−ＯＤＵはノードＮ５のWest側で受信（drop）する。
図４（ａ）と図４（ｂ）を比較して明らかなように、障害時におけるＬＯ−ＯＤＵの経路は、ノードＮ２とノードＮ３の間、及び、ノードＮ４とノードＮ５の間で冗長となる。そのため、障害時には、ＬＯ−ＯＤＵ、すなわちクライアント信号の伝送の遅延が生じうる。この信号伝送の経路冗長は、ネットワークの帯域の利用効率の点からも好ましくない。
【００１３】
よって、発明の１つの側面では、複数のノードがリング状に接続されるネットワークにおいて、ネットワークの伝送路に障害が生じた場合に、ノード間の信号伝送の遅延を抑制するようにした信号伝送方法、伝送装置を提供することを目的とする。
【課題を解決するための手段】
【００１４】
第１の観点では、複数のノードがリング状に接続され、各ノードから隣接ノードに向かう第１、第２方向に信号を伝送可能であり、各伝送方向に現用回線及び予備回線が設けられるネットワーク、における信号伝送方法が提供される。
信号伝送方法は、
ネットワークの伝送路に障害が生じていない場合には、各ノードが、第１階層の第１信号を送信又は受信するときに、第１又は第２方向に隣接するノードに対し、現用回線を介して、第１信号を１又は複数収容した第２階層の第２信号を転送すること、
ネットワークの伝送路に障害が生じた場合には、障害箇所の端に位置する第１ノードが、第２信号の伝送方向を切り替えて予備回線に前記第２信号を送出するとともに、第１信号の送信元又は受信先となる第２ノードが、第１信号の経路が前記障害箇所を回避するように、前記第１信号の送信方向又は受信方向として第１、第２方向のいずれかの方向を選択すること、を含む。
【００１５】
第２の観点では、複数の伝送装置がリング状に接続され、各伝送装置から隣接伝送装置に向かう第１、第２方向に信号を伝送可能であり、各伝送方向に現用回線、予備回線が設けられるネットワーク、に属する伝送装置が提供される。
伝送装置は、
ネットワークの伝送路に障害が生じていない場合には、第１階層の第１信号を送信又は受信するときに、第１又は第２方向に隣接する伝送装置に対し、現用回線を介して、第１信号を１又は複数収容した第２階層の第２信号を転送する送受信部と、
ネットワークの伝送路に障害が生じ、かつ、障害箇所の端に位置する場合には、第２信号の伝送方向を切り替えて予備回線に前記第２信号を送出する第１処理部と、
前記障害が生じ、かつ、第１信号の送信元又は受信先となる場合には、第１信号の経路が前記障害箇所を回避するように、前記第１信号の送信方向又は受信方向として第１、第２方向のいずれかの方向を選択する第２処理部と、
を備える。
【発明の効果】
【００１６】
開示の信号伝送方法、伝送装置によれば、複数のノードがリング状に接続されるネットワークにおいて、ネットワークの伝送路に障害が生じた場合に、ノード間の信号伝送の遅延を抑制することができる。
【図面の簡単な説明】
【００１７】
【図１】ＯＴＮフレームフォーマットを示す図。
【図２】ＨＯ／ＬＯ−ＯＤＵの２階層のＯＤＵコンセプトを示す図。
【図３】公知のプロテクション技術の一例としてLinear Protectionを示す図。
【図４】ＨＯ−ＯＤＵレベルのプロテクションスイッチ動作によって生ずる問題点を説明するための図。
【図５】第１実施形態のネットワーク構成を例示する図。
【図６】第１実施形態のネットワークに適用されるリングプロテクションを説明するための図。
【図７】第１実施形態のネットワークを構成する各ノードの概略構成のブロック図。
【図８】ネットワークの障害時において、本実施形態のノードの全体処理を示すフローチャート。
【図９】ネットワークの障害時において、本実施形態のノードの動作パターンを説明するための図。
【図１０】ネットワークの障害時において、本実施形態のノードによる処理の効果を説明するための図。
【図１１】第２実施形態のノードの構成例を示すブロック図。
【図１２】第２実施形態のノードの動作を説明するための図。
【図１３】第２実施形態のノードの動作を説明するための図。
【図１４】第２実施形態のノードの動作を説明するための図。
【図１５】第２実施形態のノードの動作を説明するための図。
【図１６】第２実施形態のノードの動作を説明するための図。
【図１７】第２実施形態のノードの動作を説明するための図。
【図１８】第３実施形態のネットワークにおいて障害通知の方法の一例を説明するための図。
【図１９】第４実施形態のネットワークにおいて、トポロジ情報の取得方法の一例を示す図。
【図２０】第４実施形態のネットワークにおいて、ＬＯ−ＯＤＵの経路情報の取得方法の一例を示す図。
【図２１】第４実施形態のネットワークにおいて、障害箇所情報の通知の一例を示す図。
【発明を実施するための形態】
【００１８】
（１）第１実施形態
（１−１）ネットワークの構成
以下、複数のノードがリング状に接続されるリングネットワークの一実施形態である光伝送ネットワーク（以下、適宜単に「ネットワーク」という。）について説明する。図５は、本実施形態のネットワークの概略構成を示す図である。なお、各ノードは、例えば光クロスコネクト装置等の伝送装置である。
【００１９】
図５に示すように、本実施形態のネットワークは、複数のノード（図に示す例では、６個のノードＮ１〜Ｎ６）がリング状に光ファイバ伝送路によって接続されている。このネットワークでは、ワーキングエンティティ(working entity;以下、「現用回線」という。)とプロテクションエンティティ(protection entity；以下、「予備回線」という。)が設けられている。クライアント信号は、各ノードでＬＯ−ＯＤＵにマッピングされる。ＬＯ−ＯＤＵは任意のノードで送受信すること（add/drop）が可能である。現用回線及び予備回線は、１又は複数のＬＯ−ＯＤＵ（第１階層の第１信号）を多重収容したＨＯ−ＯＤＵ（第２階層の第２信号）に対して設けられる。このネットワークでは、現用回線と予備回線の両者でＨＯ−ＯＤＵが隣接ノード間で終端しており、各ノードにおいてＨＯ−ＯＤＵが現用回線をパススルーすることはない。そのため、ＨＯ−ＯＤＵの上位階層のＬＯ−ＯＤＵは、マッピングされていたＨＯ−ＯＤＵが隣接ノードで終端した後、その隣接ノードで再度新たなＨＯ−ＯＤＵにマッピングされることになる。
【００２０】
例えば、図５に示す例では、クライアント信号をノードＮ３から送信(add)し、ノードＮ５で受信(drop)する場合が示されている。この場合、ノードＮ３においてクライアント信号がＬＯ−ＯＤＵにマッピングされ、さらにこのＬＯ−ＯＤＵが他のＬＯ−ＯＤＵと共にＨＯ−ＯＤＵにマッピングされる。このＨＯ−ＯＤＵはノードＮ３からノードＮ４へ送出されて、ノードＮ４で終端する。ノードＮ４では新たに、ノードＮ３からのＬＯ−ＯＤＵをマッピングするＨＯ−ＯＤＵを生成してノードＮ５へ送出する。そして、ノードＮ５では、ノードＮ４から転送されてきたＨＯ−ＯＤＵが終端するとともに、このＨＯ−ＯＤＵからＬＯ−ＯＤＵが取り出され、クライアント信号を受信(drop)することになる。
【００２１】
図５に示すように、現用回線と予備回線は共に、あるノードから隣接する２ノードへ向かう方向（第１、第２方向）へＨＯ−ＯＤＵを伝送させることができるように構成されている。また、本実施形態のネットワークに適用されるリングプロテクションは、図６に示すように、１方向の現用回線(working entity)に対して、現用回線と逆方向の予備回線に対して信号を伝送可能となるように構成されている。
【００２２】
このネットワークにおいて、隣接ノード間におけるＨＯ−ＯＤＵレベルのリングプロテクションは、ＢＬＳＲ(Bidirectional Line Switched Ring)と同様の動作が適用される。図６に示した例で、例えばノードＮ３とノードＮ４の間の伝送路に障害が生じた場合、ＨＯ−ＯＤＵは、現用回線とは逆方向の予備回線上で、ノードＮ２に向けて伝送される。このネットワークではＨＯ−ＯＤＵが隣接ノード間で終端するが、ＨＯ−ＯＤＵにマッピングされるＬＯ−ＯＤＵのネットワーク上の伝送経路は、上記のＨＯ−ＯＤＵレベルのプロテクションスイッチ動作によって、結果として障害端で折り返したことになる。
【００２３】
（１−２）ノードの構成
図７を参照すると、本実施形態のネットワークを構成する各ノードの概略構成のブロック図が示される。図７に示すように、本実施形態のノードは、第１処理部２０、West側に設けられる送受信部(West)１０及び第２処理部(West)３０、East側に設けられる送受信部(East)１１及び第２処理部(East)３１、制御部４０を有する。
なお、図７において、ＨＯ−ＯＤＵ（Ｗ）は現用回線を伝送するＨＯ−ＯＤＵを表し、ＨＯ−ＯＤＵ（Ｐ）は予備回線を伝送するＨＯ−ＯＤＵを表す。
【００２４】
送受信部(West)１０は、West側において、ネットワークの伝送路に信号を送出、及びネットワークの伝送路から信号を受け入れるための送受信回路、光信号と電気信号の間の信号変換回路等を含むインタフェース部１５、１６を含む。インタフェース部１５は現用回線上の信号に対応して設けられており、インタフェース部１６は予備回線上の信号に対応して設けられている。
送受信部(East)１１は、East側において、ネットワークの伝送路に信号を送出、及びネットワークの伝送路から信号を受け入れるための送受信回路、光信号と電気信号の間の信号変換回路等を含むインタフェース部１７、１８を含む。インタフェース部１７は現用回線上の信号に対応して設けられており、インタフェース部１８は予備回線上の信号に対応して設けられている。
【００２５】
第１処理部２０は、ネットワークの伝送路に障害が生じたとき、自ノードがその障害が生じた伝送路の端に位置する場合に、実質的に動作する。なお、以下の説明では、ネットワークで障害が生じた伝送路の端に位置するノードを「障害端」（第１ノード）という。例えば、図６において、ノードＮ３とノードＮ４との間の伝送路に障害が生じた場合、このネットワークにおいてノードＮ３とノードＮ４は障害端に該当する。
【００２６】
第１処理部２０は、自ノードが障害端であるときに実質的に動作する。第１スイッチ部２０は、制御部４０による指令に基づいて、ＨＯ−ＯＤＵ単位で現用回線から予備回線へ、又は予備回線から現用回線へ信号の伝送方向を切り替える処理を行う。
【００２７】
第１処理部２０は、ＨＯ−ＯＤＵ（Ｗ）及びＨＯ−ＯＤＵ（Ｐ）の終端処理を行う。例えば、ノードのWest側からEast側へ転送されるＨＯ−ＯＤＵ（Ｗ）を想定すると、現用回線上でWest側から受け入れたＨＯ−ＯＤＵ（Ｗ）は、第１処理部２０で終端する。そして、第１処理部２０は、新たにＨＯ−ＯＤＵ（Ｗ）を生成してEast側から送出する。
【００２８】
第２処理部(West)３０は、自ノードがクライアント信号（すなわち、クライアント信号をマッピングしたＬＯ−ＯＤＵ）の送信ノード（以下、「送信端」という。）、又は受信ノード（以下、「受信端」という。）であるときに実質的に動作する。以下、送信端又は受信端であるノードを、まとめて「送受信端」（第２ノード）という。
【００２９】
第２処理部(West)３０は、自ノードが送信端であるときには、クライアント信号に基づいてＬＯ−ＯＤＵを生成する。そして、第２処理部(West)３０は、ＬＯ−ＯＤＵ単位で、ＬＯ−ＯＤＵの送信方向（現用回線上をEast側から送出する方向、又は予備回線上をWest側から送出する方向のいずれか）を切り替える。第２処理部(West)３０は、ＬＯ−ＯＤＵを送出するときには、１又は複数のＬＯ−ＯＤＵをＨＯ−ＯＤＵに多重化して出力する。
第２処理部(West)３０は、自ノードが受信端であるときには、隣接ノードから転送されてくるＨＯ−ＯＤＵからＬＯ−ＯＤＵを分離する。このとき、第２スイッチ部(West)３０は、ＬＯ−ＯＤＵ単位で、ＬＯ−ＯＤＵの受信方向（現用回線上をWest側から受け入れる方向、又は予備回線上をEast側から受け入れる方向）を切り替える。そして、第２処理部(West)３０は、受信したＬＯ−ＯＤＵからクライアント信号を抽出する。
【００３０】
第２処理部(East)３１では、East側において第２処理部(West)３０と同様の処理が行われる。このとき、第２スイッチ部(East)３１は、自ノードが送信端であるときには、ＬＯ−ＯＤＵ単位で、ＬＯ−ＯＤＵの送信方向（現用回線上をWest側から送出する方向、又は予備回線上をEast側から送出する方向のいずれか）を切り替える。また、第２スイッチ部(East)３１は、自ノードが受信端であるときには、ＬＯ−ＯＤＵ単位で、ＬＯ−ＯＤＵの受信方向（現用回線上をEast側から受け入れる方向、又は予備回線上をWest側から受け入れる方向）を切り替える。
なお、第２処理部(West)３０と第２処理部(East)３１における切替処理は、制御部４０による指令の下で行われる。すなわち、制御部４０は、処理対象のＬＯ−ＯＤＵ及び／又はＨＯ−ＯＤＵのオーバヘッドの情報等に基づいて、ＬＯ−ＯＤＵが所望の送受信方向となるように、第２スイッチ部(West)３０及び第２スイッチ部(East)３１を制御する。
【００３１】
図７に示すノードでは、自ノードが送受信端であるときのＬＯ−ＯＤＵ単位での切替処理、及び自ノードが障害端であるときのＨＯ−ＯＤＵ単位での切替処理は、West側及びEast側でそれぞれ独立に行われる。
【００３２】
（１−３）伝送路で障害が生じた場合の各ノードの処理
前述したように、このネットワークの伝送路で障害が生じた場合に各ノードでは、自ノードが障害端であるときには、ＨＯ−ＯＤＵレベルでの切替処理（以下、「障害端切替処理」という。）が実行される。また、自ノードが送受信端であるときには、ＬＯ−ＯＤＵレベルでの切替処理（以下、「送受信端切替処理」という。）が実行される。以下では、障害端切替処理及び送受信端切替処理について、さらに詳しく説明する。
【００３３】
（Ａ）障害端切替処理
障害端切替処理では、現用回線で転送されてきたＨＯ−ＯＤＵが折り返されて（すなわち、転送方向と逆方向に）予備回線に送出されるか、又は予備回線で転送されてきたＨＯ−ＯＤＵが折り返されて（すなわち、転送方向と逆方向に）現用回線に送出される。この処理は、障害端にてWest側とEast側とで独立に行われる。
例えば、図７において、West側から現用回線で転送されてきたＨＯ−ＯＤＵ（Ｗ）は、第１処理部２０で切替処理が行われ、その結果、West側の予備回線からＨＯ−ＯＤＵ（Ｐ）が送出される。West側から予備回線で転送されてきたＨＯ−ＯＤＵ（Ｐ）は、第１処理部２０で切替処理が行われ、その結果、West側の現用回線からＨＯ−ＯＤＵ（Ｗ）が送出される。
同様に、図７において、East側から現用回線で転送されてきたＨＯ−ＯＤＵ（Ｗ）は、第１処理部２０で切替処理が行われ、その結果、East側の予備回線からＨＯ−ＯＤＵ（Ｐ）が送出される。East側から予備回線で転送されてきたＨＯ−ＯＤＵ（Ｐ）は、第１処理部２０で切替処理が行われ、その結果、East側の現用回線からＨＯ−ＯＤＵ（Ｗ）が送出される。
【００３４】
（Ｂ）送受信端切替処理
送受信端切替処理において、伝送路で障害が生じた場合、制御部４０は、送受信（add/drop）の対象となるＬＯ−ＯＤＵの経路が最適となる送信方向（送信端の場合）、又は受信方向（受信端の場合）の選択を行う。この選択は、ネットワークの伝送路に障害が生じていない場合（すなわち、正常時）に予定されていた経路上に、障害が生じた伝送路（以下、「障害箇所」という。）が存在するか否かに基づく。すなわち、この選択は、送受信対象となるＬＯ−ＯＤＵの経路が障害箇所を回避するようにして行われる。この処理は、送受信端にてWest側とEast側とで独立に行われる。
【００３５】
本実施形態のネットワークでは、ネットワークの伝送路に障害が生じたとき、各ノードが、その障害箇所に関する情報（以下、「障害箇所情報」という。）を共有しうる。障害箇所情報の共有は、例えば、障害端がＨＯ−ＯＤＵのオーバヘッドに障害の発生を示す情報を書き込み、このＨＯ−ＯＤＵがネットワーク上を転送することで他のノードに通知すること等によって行われる。本実施形態では、制御部４０が、障害箇所情報に基づいて、制御対象のＬＯ−ＯＤＵ（すなわち、送受信（add/drop）の対象となるＬＯ−ＯＤＵ）ごとに送信方向又は受信方向を選択する。この選択結果に応じた切替指示が、第２スイッチ部(West)３０及び第２スイッチ部(East)３１に対して行われる。
【００３６】
ここで先ず、図７において、自ノードがＬＯ−ＯＤＵの送信端である場合を想定する。伝送路で障害が生じた場合に、制御部４０は、送信対象のＬＯ−ＯＤＵがその送信方向を切り替えずに現用回線から送出される、又はその送信方向を切り替えて予備回線から送出されるように、第２スイッチ部(West)３０又は第２スイッチ部(East)３１を制御する。
【００３７】
具体的には、West側で入力するクライアント信号に関し、対応するＬＯ−ＯＤＵを現用回線上でEast側から送出する方向を採る場合、第２スイッチ部(West)３０は、送信対象のＬＯ−ＯＤＵがEast側の現用回線のＨＯ−ＯＤＵ（Ｗ）にマッピングされるように切替を行う。West側で入力するクライアント信号に関し、対応するＬＯ−ＯＤＵを予備回線上でWest側から送出する方向を採る場合、第２処理部(West)３０は、送信対象のＬＯ−ＯＤＵがWest側の予備回線のＨＯ−ＯＤＵ（Ｐ）にマッピングされるように切替を行う。
【００３８】
また、East側で入力するクライアント信号に関し、対応するＬＯ−ＯＤＵを現用回線上でWest側から送出する方向を採る場合、第２スイッチ部(East)３１は、送信対象のＬＯ−ＯＤＵがWest側の現用回線のＨＯ−ＯＤＵ（Ｗ）にマッピングされるように切替を行う。East側で入力するクライアント信号に関し、対応するＬＯ−ＯＤＵを予備回線上でEast側から送出する方向を採る場合、第２スイッチ部(East)３１は、送信対象のＬＯ−ＯＤＵがEast側の予備回線のＨＯ−ＯＤＵ（Ｐ）にマッピングされるように切替を行う。
【００３９】
次に、図７において、自ノードがＬＯ−ＯＤＵの受信端である場合を想定する。伝送路で障害が生じた場合に、制御部４０は、受信対象のＬＯ−ＯＤＵがその受信方向を切り替えずに現用回線から受信される、又はその受信方向を切り替えて予備回線から受信されるように、第２スイッチ部(West)３０又は第２スイッチ部(East)３１を制御する。
【００４０】
具体的には、West側から出力するクライアント信号に関し、対応するクライアント信号を現用回線上でWest側から受信する方向を採る場合、第２スイッチ部(West)３０は、受信対象のＬＯ−ＯＤＵがWest側の現用回線のＨＯ−ＯＤＵ（Ｗ）からデマッピングされるように切替を行う。West側から出力するクライアント信号に関し、対応するクライアント信号を予備回線上でEast側から受信する方向を採る場合、第２処理部(West)３０は、受信対象のＬＯ−ＯＤＵがEast側の予備回線のＨＯ−ＯＤＵ（Ｐ）からデマッピングされるように切替を行う。
【００４１】
また、East側から出力するＬＯ−ＯＤＵに関し、対応するクライアント信号を現用回線上でEast側から受信する方向を採る場合、第２スイッチ部(East)３１は、受信対象のＬＯ−ＯＤＵがEast側の現用回線のＨＯ−ＯＤＵ（Ｗ）からデマッピングされるように切替を行う。East側から出力するクライアント信号に関し、対応するクライアント信号を予備回線上でWest側から受信する方向を採る場合、第２スイッチ部(East)３１は、受信対象のＬＯ−ＯＤＵがWest側の予備回線のＨＯ−ＯＤＵ（Ｐ）からデマッピングされるように切替を行う。
【００４２】
（１−４）各ノードの処理の全体フローとネットワークの動作
次に、ネットワークの伝送路で障害が生じた場合における、本実施形態の各ノードの全体処理とネットワークの動作について、図８〜１０を参照して説明する。
図８は、ネットワークの伝送路で障害が生じた場合における、本実施形態のノードの全体処理を示すフローチャートである。図９は、ネットワークの伝送路で障害が生じた場合における、各ノードの動作パターンを説明するための図である。図１０は、ネットワークの伝送路で障害が生じた場合における、本実施形態のノードによる処理の効果を説明するための図である。
【００４３】
図８では先ず、実施形態のノードは、物理層レベルの信号品質に基づいて、自ノードが障害端であるか否かを判断する（ステップＳ１０）。この判断は、各ノードでWest側とEast側とで独立して行われる。自ノードが障害端である場合には、ＨＯ−ＯＤＵ単位で障害端切替処理が実行される（ステップＳ１２）。また、自ノードが障害端である場合には、例えばＯＤＵのオーバヘッドに障害の発生を示す情報を書き込み、このＨＯ−ＯＤＵをネットワーク上で転送させる等の手段により、自ノードが障害端であることを他のノードに通知する。
【００４４】
各ノードは、自ノードが障害端でない場合には、他のノードから通知される、障害の発生を示す情報に基づいて、障害箇所情報を取得する（ステップＳ１４）。すなわち、ネットワーク上の複数のノード間で、障害箇所情報が共有される。次に、各ノードは、自ノードが送受信端である場合には（ステップＳ１６のＹＥＳ）、ＬＯ−ＯＤＵ単位で送受信端切替処理が実行される（ステップＳ１８）。すなわち、送受信対象となるＬＯ−ＯＤＵの経路が障害箇所を回避するように、必要に応じてＬＯ−ＯＤＵの送信方向又は受信方向が切り替えられる。
【００４５】
次に図９を参照すると、ネットワーク上の各ノードの状況に応じて想定される、７パターンの各ノードの切替処理の態様が示される。ネットワークの伝送路で障害が生じた場合には、ネットワーク上の各ノードは、この７パターンのいずれかに該当することになる。ここで、図８を参照して説明したように、自ノードが障害端（信号の送出側、受入側を問わず）である場合（パターン１、３、５、６）には、障害端切替処理を実行する。自ノードが障害端ではなく送受信端である場合（パターン２、４）には、送受信端切替処理を実行する。自ノードが障害端ではなく送受信端でもない場合（パターン７）には、何も実行しない。
【００４６】
次に図１０を参照して、例えば６個のノードＮ１〜Ｎ６からなるネットワークにおいて、伝送路に障害が生じた場合の、本実施形態のノードによる処理の効果を説明する。図１０では、各ノードのWest側を「Ｗ」と表示し、各ノードのEast側を「Ｅ」と表示してある。図１０では、ノードＮ３とノードＮ４の間の伝送路が障害箇所である場合を例として示してある。
図１０（ａ）は、仮にネットワークの伝送路に障害が生じていない場合（正常時）のＬＯ−ＯＤＵの経路の一例を示している。この例では、ノードＮ２のEast側からＬＯ−ＯＤＵを送信（add）し、順にノードＮ３、Ｎ４、Ｎ５の経路を採り、ノードＮ５のWest側で受信（drop）している。このとき、送受信対象のＬＯ−ＯＤＵがＨＯ−ＯＤＵにマッピングされ、そのＨＯ−ＯＤＵがノード間を現用回線で伝送される。
【００４７】
図１０（ｂ）は、送受信端が、仮に、送受信端切替処理を行わないとした場合のＬＯ−ＯＤＵの経路を、図１０（ｃ）との比較の目的で示している。この場合、送信端であるノードＮ２のEast側からＬＯ−ＯＤＵを送信（add）し、このＬＯ−ＯＤＵをマッピングしたＨＯ−ＯＤＵがノードＮ３へ伝送される。ノードＮ３は障害端であるため、伝送されてきたＨＯ−ＯＤＵは予備回線へ折り返し、Ｎ２→Ｎ１→Ｎ６→Ｎ５→Ｎ４の順にノードを伝送される。そして、ノードＮ４は障害端であるため、予備回線で伝送されてきたＨＯ−ＯＤＵは現用回線へ折り返し、ノードＮ５へ伝送される。最後に、ＬＯ−ＯＤＵはノードＮ５のWest側で受信（drop）する。
【００４８】
図１０（ｃ）は、本実施形態のノードのＬＯ−ＯＤＵの経路を示している。すなわち、送受信端であるノードＮ２及びＮ５において送受信端切替処理が実行される。
この実施形態では、各ノードは、自ノードが障害端でない場合には、他のノードから通知される、障害の発生を示す情報に基づいて、障害箇所情報（図１０の例では、ノードＮ３とノードＮ４の間の伝送路が障害箇所であることを示す情報）を取得しうる。そして、送信端であるノードＮ２は、送信対象となるＬＯ−ＯＤＵの経路が障害箇所を回避するようにＬＯ−ＯＤＵの送出方向が切り替える。それによって、送信対象となるＬＯ−ＯＤＵは、予備回線上のノードＮ１向けのＨＯ−ＯＤＵにマッピングされる。このＨＯ−ＯＤＵは、Ｎ１→Ｎ６→Ｎ５の順にノードを伝送される。受信端であるノードＮ５は、受信対象となるＬＯ−ＯＤＵを、その経路が障害箇所を回避するような方向から受け入れたＨＯ−ＯＤＵから受信(drop)する。すなわち、受信端であるノードＮ５は、予備回線上をノードＮ６から伝送されてきたＨＯ−ＯＤＵから受信対象のＬＯ−ＯＤＵをデマッピングする。
【００４９】
図１０（ｂ）の場合、ノードＮ２とノードＮ３の間、及び、ノードＮ４とノードＮ５の間の冗長な伝送が生じてしまうのに対し、図１０（ｃ）に示すように、本実施形態では、そのような冗長な伝送が生じない。換言すれば、本実施形態のネットワークでは、伝送路に障害が生じた場合に、ＬＯ−ＯＤＵの送受信の経路が最適化される。
【００５０】
以上説明したように、本実施形態のネットワークでは、ＨＯ−ＯＤＵレベルでリングプロテクションが適用され、ネットワークの伝送路に障害が生ずると、障害端では、ＨＯ−ＯＤＵレベルで現用回線から予備回線へ折り返す障害端切替処理が行われる。さらに、ＬＯ−ＯＤＵの送受信端では、そのＬＯ−ＯＤＵの経路が最適となるように、必要に応じてＬＯ−ＯＤＵの送信方向又は受信方向を切り替える送受信端切替処理が行われる。そのため、伝送路の障害が生じた場合に、ＬＯ−ＯＤＵの経路は、障害端で折り返す冗長な経路をとることがない。よって、伝送路の障害が生じた場合に、クライアント信号の伝送遅延時間が抑制されるとともに、ネットワークの帯域の利用効率が向上する。
【００５１】
（２）第２実施形態
以下、第２実施形態について説明する。第２実施形態では、各ノードの具体的な一構成例について詳細に説明する。
（２−１）ノードの具体的な構成例
図１１は、各ノードの具体的な構成例を示すブロック図である。なお、図１１に示す構成は、図７に示した構成の内、第１処理部２０、第２処理部(West)３０、第２処理部(East)３１、制御部４０に対応する。
【００５２】
図１１に示すように、本実施形態のノードは、受信対象のＬＯ−ＯＤＵのペイロードに含まれるクライアント信号を抽出してWest側で出力するＬＯ−ＯＤＵ処理部３２０を備える。このノードは、West側から入力したクライアント信号に基づいて送信対象のＬＯ−ＯＤＵを生成するＬＯ−ＯＤＵ処理部３２１を備える。
本実施形態のノードは、East側から入力したクライアント信号に基づいて送信対象のＬＯ−ＯＤＵを生成するＬＯ−ＯＤＵ処理部３２２を備える。このノードは、受信対象のＬＯ−ＯＤＵのペイロードに含まれるクライアント信号を抽出してEast側で出力するＬＯ−ＯＤＵ処理部３２３を備える。
【００５３】
図１１に示すように、本実施形態のノードは、１又は複数のＬＯ−ＯＤＵを多重化するとともに、オーバヘッドを付加してＨＯ−ＯＤＵを生成するマルチプレクサ（ＭＵＸ）３１３〜３１８を備える。また、このノードは、ＨＯ−ＯＤＵを１又は複数のＬＯ−ＯＤＵに分離するデマルチプレクサ（ＤＭＵＸ）３０７〜３１２を備える。
【００５４】
本実施形態のノードは、スイッチ群２００、２０１、２０２、３０１、３０２を備える。ここで、スイッチ群２００は主として、図７に示した第１処理部２０における切替処理を行う。スイッチ群３０１は主として、図７に示した第２処理部(West)３０における切替処理を行う。スイッチ群３０２は主として、図７に示した第２処理部(East)３１における切替処理を行う。
図１１に示すように、スイッチ群２００は、スイッチ（ＳＷ）２００１、２００２、２００３、２００４を含む。スイッチ群２０１は、スイッチ２０１１、２０１２を含む。スイッチ群２０２は、スイッチ２０２１、２０２２を含む。スイッチ群３０１は、クロスコネクト部(LO-ODU XC)３０１１、及びスイッチ３０１２、３０１３、３０１４、３０１５を含む。スイッチ群３０２は、クロスコネクト部(LO-ODU XC)３０２１、及びスイッチ３０２２、３０２３、３０２４、３０２５を含む。
【００５５】
ＨＯ−ＯＤＵスイッチ(HO-ODU SW)制御部４０１は主として、自ノードが障害端であるときにＨＯ−ＯＤＵレベルで切替制御を行う。ＨＯ−ＯＤＵスイッチ制御部４０１は、自ノードで処理されるＨＯ−ＯＤＵのオーバヘッドの情報を収集する。ＨＯ−ＯＤＵスイッチ制御部４０１は、ＨＯ−ＯＤＵのオーバヘッドの情報に基づいてＨＯ−ＯＤＵレベルでの切替動作を決定する。この決定に基づき、スイッチ群２００、２０１、２０２に対して制御信号が送信される。各スイッチ群では、この制御信号に基づいてスイッチの動作が制御される。
【００５６】
ＬＯ−ＯＤＵスイッチ(LO-ODU SW)制御部４０２は主として、自ノードが送受信端であるときにＬＯ−ＯＤＵレベルで切替制御を行う。ＬＯ−ＯＤＵスイッチ制御部４０２は、自ノードで処理されるＬＯ−ＯＤＵのオーバヘッドの情報を収集する。ＬＯ−ＯＤＵスイッチ制御部４０２は、ＬＯ−ＯＤＵのオーバヘッドの情報と、ＨＯ−ＯＤＵスイッチ制御部４０１から与えられるＨＯ−ＯＤＵのオーバヘッドの情報とに基づいてＬＯ−ＯＤＵレベルでの切替動作を決定する。この決定に基づき、スイッチ群３０１、３０２に対して制御信号が送信される。各スイッチ群では、この制御信号に基づいてスイッチ及びクロスコネクト部の動作が制御される。
【００５７】
（２−２）ノードの動作例
以下、図１１に例示したノードの動作例について場合分けて、図１２〜１７を参照して説明する。
（Ａ）West側での障害端切替処理
図１２を参照して説明する。図１２では、ＨＯ−ＯＤＵ単位でWest側において現用回線から予備回線へ経路を切り替える場合を太い実線で、West側において予備回線から現用回線へ経路を切り替える場合を太い点線で示してある。
【００５８】
（Ａ−１）West側において現用回線から予備回線へ経路を切り替える場合
図１２の太い実線で示すように、West側から現用回線で伝送されてきたＨＯ−ＯＤＵ（Ｗ）は障害端で終端し、スイッチ２０１１を経由し、デマルチプレクサ３０７でＬＯ−ＯＤＵに分離される。分離されたＬＯ−ＯＤＵは、クロスコネクト部３０１１によりマルチプレクサ３１４へ向けられる。マルチプレクサ３１４では、ＬＯ−ＯＤＵを多重化してＨＯ−ＯＤＵを生成する。このＨＯ−ＯＤＵは、スイッチ２００１、スイッチ２００４を経由してデマルチプレクサ３０９へ向けられる。デマルチプレクサ３０９は、ＨＯ−ＯＤＵをＬＯ−ＯＤＵに分離する。分離されたＬＯ−ＯＤＵは、スイッチ３０１５を経由してマルチプレクサ３１３にて多重化され、ＨＯ−ＯＤＵ（Ｐ）としてWest側の予備回線から送出される。
【００５９】
（Ａ−２）West側において予備回線から現用回線へ経路を切り替える場合
図１２の太い点線で示すように、West側から予備回線で伝送されてきたＨＯ−ＯＤＵ（Ｐ）は障害端で終端し、スイッチ２０１２及びスイッチ２０２１を経由して、デマルチプレクサ３１１でＬＯ−ＯＤＵに分離される。分離されたＬＯ−ＯＤＵは、クロスコネクト部３０２１によりマルチプレクサ３１６へ向けられる。マルチプレクサ３１６は、ＬＯ−ＯＤＵを多重化してＨＯ−ＯＤＵを生成する。このＨＯ−ＯＤＵは、スイッチ２００２を経由して、ＨＯ−ＯＤＵ（Ｗ）としてWest側の現用回線から送出される。
【００６０】
（Ｂ）East側での障害端切替処理
図１３を参照して説明する。図１３では、ＨＯ−ＯＤＵ単位でEast側において現用回線から予備回線へ経路を切り替える場合を太い実線で、East側において予備回線から現用回線へ経路を切り替える場合を太い点線で示してある。
【００６１】
（Ｂ−１）East側において現用回線から予備回線へ経路を切り替える場合
図１３の太い実線で示すように、East側から現用回線で伝送されてきたＨＯ−ＯＤＵ（Ｗ）は障害端で終端し、スイッチ２０２１を経由し、デマルチプレクサ３１１でＬＯ−ＯＤＵに分離される。分離されたＬＯ−ＯＤＵは、クロスコネクト部３０２１によりマルチプレクサ３１６へ向けられる。マルチプレクサ３１６は、ＬＯ−ＯＤＵを多重化してＨＯ−ＯＤＵを生成する。このＨＯ−ＯＤＵは、スイッチ２００２及びスイッチ２００３を経由して、デマルチプレクサ３１０へ向けられる。デマルチプレクサ３１０は、ＨＯ−ＯＤＵをＬＯ−ＯＤＵに分離する。分離されたＬＯ−ＯＤＵは、スイッチ３０２４を経由してマルチプレクサ３１８にて多重化され、ＨＯ−ＯＤＵ（Ｐ）としてEast側の予備回線から送出される。
【００６２】
（Ｂ−２）East側において予備回線から現用回線へ経路を切り替える場合
図１３の太い点線で示すように、East側から予備回線で伝送されてきたＨＯ−ＯＤＵ（Ｐ）は障害端で終端し、スイッチ２０２２及びスイッチ２０１１を経由して、デマルチプレクサ３０７でＬＯ−ＯＤＵに分離される。分離されたＬＯ−ＯＤＵは、クロスコネクト部３０１１によりマルチプレクサ３１４へ向けられる。マルチプレクサ３１４は、ＬＯ−ＯＤＵを多重化してＨＯ−ＯＤＵを生成する。このＨＯ−ＯＤＵは、スイッチ２００１を経由して、ＨＯ−ＯＤＵ（Ｗ）としてEast側の現用回線から送出される。
【００６３】
（Ｃ）West側から入力するクライアント信号に関する送信端切替処理
図１４を参照して説明する。図１４では、West側から入力するクライアント信号に関し、現用回線上をEast側から送出する方向を選択する場合を太い点線で、予備回線上をWest側から送出する方向を選択する場合を太い実線で示してある。
【００６４】
（Ｃ−１）現用回線上をEast側から送出する方向を選択する場合
図１４の太い点線で示すように、West側から入力するクライアント信号に基づき、ＬＯ−ＯＤＵ処理部３２１が送信対象のＬＯ−ＯＤＵを生成する。この生成されたＬＯ−ＯＤＵは、スイッチ３０１３、クロスコネクト部３０１１によってマルチプレクサ３１４へ向けられる。マルチプレクサ３１４は、クロスコネクト部３０１１からのＬＯ−ＯＤＵを含む１又は複数のＬＯ−ＯＤＵを多重化してＨＯ−ＯＤＵを生成する。このＨＯ−ＯＤＵは、ＨＯ−ＯＤＵ（Ｗ）として、スイッチ２００１を介してEast側の現用回線から送出される。
【００６５】
（Ｃ−２）予備回線上をWest側から送出する方向を選択する場合
図１４の太い実線で示すように、West側から入力するクライアント信号に基づき、ＬＯ−ＯＤＵ処理部３２１が送信対象のＬＯ−ＯＤＵを生成する。この生成されたＬＯ−ＯＤＵは、スイッチ３０１３によってスイッチ３０１５へ向けられ、スイッチ３０１５経由でマルチプレクサ３１３へ向けられる。マルチプレクサ３１３は、スイッチ３０１５からのＬＯ−ＯＤＵを含む１又は複数のＬＯ−ＯＤＵを多重化してＨＯ−ＯＤＵを生成する。このＨＯ−ＯＤＵは、ＨＯ−ＯＤＵ（Ｐ）として、West側の予備回線から送出される。
【００６６】
（Ｄ）East側から入力するクライアント信号に関する送信端切替処理
図１５を参照して説明する。図１５では、East側から入力するクライアント信号に関し、現用回線上をWest側から送出する方向を選択する場合を太い点線で、予備回線上をEast側から送出する方向を選択する場合を太い実線で示してある。
【００６７】
（Ｄ−１）現用回線上をWest側から送出する方向を選択する場合
図１５の太い点線で示すように、East側から入力するクライアント信号に基づき、ＬＯ−ＯＤＵ処理部３２２が送信対象のＬＯ−ＯＤＵを生成する。この生成されたＬＯ−ＯＤＵは、スイッチ３０２２及びクロスコネクト部３０２１によってマルチプレクサ３１６へ向けられる。マルチプレクサ３１６は、クロスコネクト部３０２１からのＬＯ−ＯＤＵを含む１又は複数のＬＯ−ＯＤＵを多重化してＨＯ−ＯＤＵを生成する。このＨＯ−ＯＤＵは、スイッチ２００２を介し、ＨＯ−ＯＤＵ（Ｗ）としてWest側の現用回線から送出される。
【００６８】
（Ｄ−２）予備回線上をEast側から送出する方向を選択する場合
図１５の太い実線で示すように、East側から入力するクライアント信号に基づき、ＬＯ−ＯＤＵ処理部３２２が送信対象のＬＯ−ＯＤＵを生成する。この生成されたＬＯ−ＯＤＵは、スイッチ３０２２、クロスコネクト部３０２１及びスイッチ３０２４によってマルチプレクサ３１８へ向けられる。マルチプレクサ３１８は、スイッチ３０２４からのＬＯ−ＯＤＵを含む１又は複数のＬＯ−ＯＤＵを多重化してＨＯ−ＯＤＵを生成する。このＨＯ−ＯＤＵは、ＨＯ−ＯＤＵ（Ｐ）として、East側の予備回線から送出される。
【００６９】
（Ｅ）West側へ出力するクライアント信号に関する受信端切替処理
図１６を参照して説明する。図１６では、West側へ出力するクライアント信号に関し、現用回線上をWest側から受信する方向を選択する場合を太い点線で、予備回線上をEast側から受信する方向を選択する場合を太い実線で示してある。
【００７０】
（Ｅ−１）現用回線上をWest側から受信する方向を選択する場合
図１６の太い点線で示すように、West側の現用回線から伝送されてきたＨＯ−ＯＤＵ（Ｗ）は、スイッチ２０１１を経由し、デマルチプレクサ３０７に向けられる。デマルチプレクサ３０７は、受信対象のＬＯ−ＯＤＵを分離する。分離された受信対象のＬＯ−ＯＤＵは、クロスコネクト部３０１１、さらにはスイッチ３０１２を経由してＬＯ−ＯＤＵ処理部３２０へ向けられる。ＬＯ−ＯＤＵ処理部３２０は、スイッチ３０１２からのＬＯ−ＯＤＵのペイロードからクライアント信号を抽出する。
【００７１】
（Ｅ−２）予備回線上をEast側から受信する方向を選択する場合
図１６の太い実線で示すように、East側の予備回線から伝送されてきたＨＯ−ＯＤＵ（Ｐ）は、スイッチ２０２２を経由し、デマルチプレクサ３１２に向けられる。デマルチプレクサ３１２は、受信対象のＬＯ−ＯＤＵを分離する。分離された受信対象のＬＯ−ＯＤＵは、スイッチ３０２５によりクロスコネクト部３０１１、さらにはスイッチ３０１２を経由してＬＯ−ＯＤＵ処理部３２０へ向けられる。ＬＯ−ＯＤＵ処理部３２０は、スイッチ３０１２からのＬＯ−ＯＤＵのペイロードからクライアント信号を抽出する。
【００７２】
（Ｆ）West側へ出力するクライアント信号に関する受信端切替処理
図１７を参照して説明する。図１７では、East側へ出力するクライアント信号に関し、現用回線上をEast側から受信する方向を選択する場合を太い点線で、予備回線上をWest側から受信する方向を選択する場合を太い実線で示してある。
【００７３】
（Ｆ−１）現用回線上をEast側から受信する方向を選択する場合
図１７の太い点線で示すように、East側の現用回線から伝送されてきたＨＯ−ＯＤＵ（Ｗ）は、スイッチ２０２１を経由して、デマルチプレクサ３１１に向けられる。デマルチプレクサ３１１は、受信対象のＬＯ−ＯＤＵを分離する。分離された受信対象のＬＯ−ＯＤＵは、クロスコネクト部３０２１、スイッチ３０２３を経由して、ＬＯ−ＯＤＵ処理部３２３へ向けられる。ＬＯ−ＯＤＵ処理部３２３は、スイッチ３０２３からのＬＯ−ＯＤＵのペイロードからクライアント信号が抽出される。
【００７４】
（Ｆ−２）予備回線上をWest側から受信する方向を選択する場合
図１７の太い実線で示すように、West側の予備回線から伝送されてきたＨＯ−ＯＤＵ（Ｐ）は、スイッチ２０１２を経由して、デマルチプレクサ３０８に向けられる。デマルチプレクサ３０８は、受信対象のＬＯ−ＯＤＵを分離する。分離された受信対象のＬＯ−ＯＤＵは、スイッチ３０１４、スイッチ３０２３を経由して、ＬＯ−ＯＤＵ処理部３２３へ向けられる。ＬＯ−ＯＤＵ処理部３２３は、スイッチ３０２３からのＬＯ−ＯＤＵのペイロードからクライアント信号が抽出される。
【００７５】
（３）第３実施形態
以下、第３実施形態について説明する。第３実施形態では、ネットワークの伝送路で障害が生じてから、送受信端切替処理が行われるまでの間における、ＯＤＵオーバヘッドを用いたノード間の処理方法の具体例について説明する。この実施形態では、送受信端は、障害箇所情報を取得せず、後述する障害通知のみを得る。よって、本処理方法を第１実施形態に適用する場合、図８のステップＳ１４は「障害通知を受ける」に置き換えることが好ましい。
【００７６】
（３−１）障害端からの障害の発生の通知方法
先ず、ネットワークの伝送路に障害が生じた場合に、その障害端からＬＯ−ＯＤＵの送受信端に対して障害の発生の通知（以下、「障害通知」という。）を行う方法の一例について説明する。この障害通知（第１情報）は、ＬＯ−ＯＤＵオーバヘッドのＰＭフィールドの３ビットのSTAT (以下、PM_STAT）を用いて行われる。障害端は、転送対象のＬＯ−ＯＤＵのPM_STATを、予め障害通知を行うために規定コードとして、例えば“100”に書き換える。そして、送受信端にとっては、この規定コードがPM_STATに書き込まれたＬＯ−ＯＤＵを障害端から受け取ることが送受信端切替処理を開始するに当たってのトリガとなる。
【００７７】
以下、図１８を参照して、上記障害通知の方法の一例を説明する。図１８は、例えば６個のノードＮ１〜Ｎ６からなるネットワークにおいて、障害通知の方法の一例を説明するための図である。図１８に示す例では、送信端がノードＮ２、受信端がノードＮ５であり、正常時のＬＯ−ＯＤＵの経路は、ノードＮ２→Ｎ３→Ｎ４→Ｎ５である。このとき、ノードＮ３とノードＮ４の間の伝送路で障害が発生した場合を想定する。
図１８において、（ａ）は、障害が生じてからネットワーク内で障害通知が行われる態様を示しており、（ｂ）は、障害通知を受けて送受信端において送信方向又は受信方向が切り替わった後のＬＯ−ＯＤＵの伝送態様を示している。
【００７８】
図１８（ａ）を参照すると、ノードＮ２から送信されたＬＯ−ＯＤＵは、ＨＯ−ＯＤＵにマッピングされてノードＮ３へ伝送される。障害端であるノードＮ３では、ノードＮ２から転送されてきたＬＯ−ＯＤＵオーバヘッドのPM_STATを“100”に書き換える。ノードＮ３では、このＬＯ−ＯＤＵを含むＨＯ−ＯＤＵが予備回線に折り返され、ノードＮ２へ向けて転送される。ノードＮ２では、予備回線上のＨＯ−ＯＤＵで伝送されてきたＬＯ−ＯＤＵのオーバヘッドのPM_STATを認識し、それによりノードＮ２に対して障害通知が行われたことになる。ＨＯ−ＯＤＵはさらに予備回線上をノードＮ２→Ｎ１→Ｎ５→Ｎ４と転送される。ＨＯ−ＯＤＵは、障害端であるノードＮ４で再度現用回線へ折り返される。ノードＮ５では、PM_STATに “100”が書き込まれたＬＯ−ＯＤＵを受信し、それによりノードＮ５に対して障害通知が行われたことになる。以上のようにして、ネットワークの伝送路に障害が生じた場合に、障害端から送受信端に対して障害通知が行われる。
【００７９】
（３−２）ＬＯ−ＯＤＵの経路最適化処理
ＬＯ−ＯＤＵの経路最適化処理は、上述した送受信端切替処理の内、送信方向又は受信方向の切替を行う前の、ＬＯ−ＯＤＵの経路を切り替えるか否かについての判断を行うための処理である。
送受信端は、（３−１）の処理により、障害通知をWest側又はEast側のいずれかから受けたかについて認識する。その結果、送受信端は、障害通知を受けた側とは反対の側から送信又は受信するように、送受信対象となるＬＯ−ＯＤＵの送信方向又は受信方向を決定する。換言すれば、送受信端は、障害通知を受信したときには、自ノードに隣接するノードの内、障害通知を自ノードに送信したノードとは反対の位置にあるノードに対して／から、新たにＬＯ−ＯＤＵを送信／受信するように、ＬＯ−ＯＤＵの送信方向又は受信方向を決定する。
【００８０】
例えば、図１８（ｂ）に示した例では、送信端であるノードＮ２は、障害端であるノードＮ３から障害通知をEast側で受けているため、送信対象のＬＯ−ＯＤＵをWest側から送出することを決定する。受信端であるノードＮ５は、障害端であるノードＮ４から障害通知をWest側で受けているため、受信対象のＬＯ−ＯＤＵをEast側から受け入れることを決定する。これらの決定は、図１８（ｂ）に示すように、新たなＬＯ−ＯＤＵの経路が障害箇所を回避するようにする目的でなされる。
なお上述したように、この時点では、経路変更の必要性を判断するに止まり、実際の切替処理は行われない。よって、障害通知を受けた後、経路変更が必要ない、すなわち、送受信方向を切り替える必要がないと判断されれば、以下で述べる処理は行われない。
【００８１】
（３−３）経路変更に関するメッセージの交換
送受信端で経路変更が決定されると、送信端及び受信端の間で、経路変更についての合意を得るとともに、経路の切替タイミング（すなわち、送信方向又は受信方向の切替タイミング）について同期をとるためのメッセージの交換が行われる。このメッセージの交換は、例えばＬＯ−ＯＤＵオーバヘッドのAPS/PCCフィールド（４バイト）を使用して行われる。この時点では送受信端で予備回線が動作していないため、上記メッセージの交換は、送信端と受信端の間の現用回線に、メッセージ交換のためのＬＯ−ＯＤＵを転送させることで行われる。
【００８２】
経路変更に関するメッセージの交換が終了すると、送受信端は、第１実施形態及び第２実施形態で詳述した、ＬＯ−ＯＤＵ単位での送受信端切替処理を実行する。
なお、図１１を参照して説明したノード構成を採るならば、上記（３−１）〜（３−３）の処理に関連する、ＬＯ−ＯＤＵオーバヘッドの情報処理、情報収集、並びに切替判断は、ＬＯ−ＯＤＵスイッチ制御部４０２において行われることになる。
【００８３】
（４）第４実施形態
次に、第４実施形態について説明する。第４実施形態では、ネットワークの伝送路で障害が生じてから、送受信端切替処理が行われるまでの間における、ＯＤＵオーバヘッドを用いたノード間の処理方法の具体例について説明する。この実施形態では、第３実施形態で述べたものとは別の具体例であって、第１実施形態と同様、送受信端が障害箇所情報を取得するように構成されている。
本実施形態のノードは、正常時にトポロジ情報とＬＯ−ＯＤＵの経路情報を予め収集する。トポロジ情報は、ネットワークにおけるノード間の接続状態を示す情報である。ここで、ネットワーク内の各ノードは予め固有のＩＤ（以下、「ノードＩＤ」という。）が付されており、トポロジ情報及び経路情報は、ノードＩＤによって表される。
【００８４】
（４−１）トポロジ情報の取得
トポロジ情報は、例えばＨＯ−ＯＤＵオーバヘッドのＰＭフィールドのＴＴＩ(Operator Specific；図１参照)を使用することで取得される。
図１９は、例えば６個のノードＮ１〜Ｎ５からなるネットワークにおいて、トポロジ情報の取得方法の一例を説明するための図である。図１９に示す例では、ノードＮ１〜５に対してそれぞれ、ノードＩＤが１〜５と付されている場合を想定する。
図１９において、ノードＮ１からノードＮ５へ順にＨＯ−ＯＤＵが転送される。各ノードでは、転送されるＨＯ−ＯＤＵのＰＭフィールドのＴＴＩ（以下、PM_TTI）には、図１９に示すように、[1]→[1,2]→…というように、各ノードＩＤが順に書き込まれる。PM_TTIに書き込まれるノードＩＤのリストをトポロジリストと表記する。このトポロジリストは、各ノードにて保持される。
【００８５】
各ノードは、West側から転送されてきたＨＯ−ＯＤＵのPM_TTIに書き込まれているトポロジリストをチェックする。そして、各ノードは、自ノードが保持するトポロジリストよりも長く、かつ、自ノードのノードＩＤが書き込まれていないことを条件として、PM_TTI内のトポロジリストに自ノードのノードＩＤを追加して書き込み、East側のノードへ転送する。その結果、トポロジ情報は、ＨＯ−ＯＤＵがリングネットワークを１周した時点におけるトポロジリストにより得られる。図１９に示す例において、ノードＮ４が２度目にトポロジリストを受け取った時点以降は、各ノードで保持するトポロジリストが長くなることはないので、最終的なトポロジリストが完成したことが分かる。すなわち、この例では、［1,2,3,4,5］というトポロジリストがトポロジ情報として得られたことになる。
【００８６】
なお、PM_TTI(Operator Specific)は３２バイトであるため、１バイトを１個のノードＩＤに割り当てるとすると、３２ノード分のトポロジ情報を伝達できることになる。３２以上のノードの割り当てを行う場合には、ＭＦＡＳ(MultiFrame Alignment Signal)の設定によってＴＴＩのバイト数を増やすようにすればよい（最大２５６バイトまで増加可能）。
また、トポロジ情報の取得方法は、上述した方法に限られない。ＨＯ−ＯＤＵオーバヘッドのＲＥＳ(Reserved for future international standardization)フィールドにトポロジリストを書き込んで転送する方法、プロビジョニングで既に取得されているトポロジ情報を用いる方法等を採り得る。
【００８７】
（４−２）ＬＯ−ＯＤＵの経路情報の取得
ネットワークの各ノードは、自ノードで送受信(add/drop)するＬＯ−ＯＤＵの経路のみの経路情報を取得すれば十分である。この経路情報の取得のために、例えば、送受信対象のＬＯ−ＯＤＵオーバヘッドのＰＭフィールドのＴＴＩ(Operator Specific)（以下、PM_TTI）が使用されうる。この場合、トポロジ情報を取得する方法と同様に、ＬＯ−ＯＤＵが送受信端間を転送され、経路上の各ノードでそのＬＯ−ＯＤＵのPM_TTIに経路情報を書き込むことで経路情報が得られる。
【００８８】
ＬＯ−ＯＤＵの経路情報の取得方法の一例について図２０を参照して説明する。図２０では、ノードＮ２とノードＮ５が送受信端となっている。例えばノードＮ５からノードＮ２へ送信する場合、図２０（ａ）に示すように、ＬＯ−ＯＤＵの転送に応じて、そのＬＯ−ＯＤＵのPM_TTIに経路情報が[5]→[5,4]→[5,4,3]→…と順に書き込まれる。一方、ノードＮ２からノードＮ５へ送信する場合、図２０（ｂ）に示すように、ＬＯ−ＯＤＵの転送に応じて、そのＬＯ−ＯＤＵのPM_TTIに経路情報が[2]→[2,3]→[2,3,4]→…と順に書き込まれる。
【００８９】
この例では、受信端においてのみ最終的な経路情報が得られることになる。しかしながら、ＯＴＮでは通常、２個の対向する方向に伝送されるＯＤＵで１組として構成されており、どのＯＤＵが組となっているかについての情報が予めノードへ与えられている。よって、ある方向のＬＯ−ＯＤＵに関して受信端で得られた経路情報内のノードＩＤを逆に辿れば、逆方向のＬＯ−ＯＤＵの経路情報が得られる。例えば、図２０（ａ）において、ノードＮ２では、ノードＮ５からノードＮ２へのＬＯ−ＯＤＵの経路情報として、[5,4,3,2]が得られる。そこで、ノードＮ２では、[5,4,3,2]内のノードＩＤを逆に辿ることで、自ノードからノードＮ５へのＬＯ−ＯＤＵの経路情報として、[2,3,4,5]が得られることになる。
【００９０】
（４−３）障害箇所情報の取得
この実施形態では、ネットワークの各ノードに対する障害箇所情報の通知は、ＨＯ−ＯＤＵオーバヘッドのAPS/PCCフィールドを使用して行われる。この通知方法について、図２１を参照して説明する。この通知方法では、例えば、あるノードのEast側におけるノード間のセグメントを、そのノードのノードＩＤと予め同一に設定しておく。図２１に示す例では、ノードＮ１のEast側のセグメントはセグメントＳＧ１、ノードＮ２のEast側のセグメントはセグメントＳＧ２、…というように設定される。ここで、正常時にＬＯ−ＯＤＵがノードＮ２からノードＮ５へ送信されており、その後ノードＮ３とノードＮ４の間の伝送路で障害が生じた場合を想定する。この場合、例えばＬＯ−ＯＤＵの受信端のノードＮ４がセグメントＳＧ３の障害を検知する。そして、ノードＮ４は、ＨＯ−ＯＤＵのAPS/PCCフィールド（図２１では、例えばフィールド内の所定のRequested Channel）にセグメントＳＧ３に対応する所定のコードを書き込み、ネットワークの両方向に転送する。セグメントがどのノード間に対応するかについての対応関係は各ノードで既知であるため、転送されてきたＨＯ−ＯＤＵのAPS/PCCフィールドを読み出すことにより、各ノードは障害箇所情報を取得できる。
【００９１】
送受信端は、障害箇所情報を取得した後、ＬＯ−ＯＤＵの経路最適化処理、経路変更に関するメッセージの交換の各処理を行う。各処理はそれぞれ、第３実施形態の（３−２）、（３−３）で述べた方法と同一の方法を採ることができる。経路変更に関するメッセージの交換が終了すると、送受信端は、第１実施形態及び第２実施形態で詳述した、ＬＯ−ＯＤＵ単位での送受信端切替処理を実行する。
【００９２】
なお、図１１を参照して説明したノード構成を採るならば、トポロジ情報の取得及び障害箇所情報の取得は、ＨＯ−ＯＤＵスイッチ制御部４０１で行われる。また、ＬＯ−ＯＤＵの経路情報の取得は、ＬＯ−ＯＤＵスイッチ制御部４０２で行われる。このとき、トポロジ情報及び障害箇所情報が、ＨＯ−ＯＤＵスイッチ制御部４０１からＬＯ−ＯＤＵスイッチ制御部４０２に提供される。そして、ＬＯ−ＯＤＵスイッチ制御部４０２は、トポロジ情報、障害箇所情報、及びＬＯ−ＯＤＵの経路情報に基づいて、ＬＯ−ＯＤＵの経路最適化処理を行う。
【００９３】
また、本実施形態では、各ノードがＯＤＵオーバヘッドを利用して、トポロジ情報、経路情報を取得する場合について場合について示したが、取得方法はこれに限られない。ＮＭＳ(Network Management System)によって一元的にネットワーク管理が行われている場合には、ＮＭＳがトポロジ情報、経路情報及び障害箇所情報を一元的に取得し、ノードごとに障害端切替及び送受信端切替を判断を行うか否かの判断を行うようにしてもよい。この場合、ＮＭＳから各ノードに対して、ＨＯ−ＯＤＵ単位又はＬＯ−ＯＤＵ単位で切替の指示が行われる。
【００９４】
以上、本発明の実施形態について詳細に説明したが、本発明の信号伝送方法、伝送装置（ノード）は上記実施形態に限定されず、本発明の主旨を逸脱しない範囲において、種々の改良や変更をしてもよいのは勿論である。
例えば、上記実施形態では、第１階層の第１信号としてＬＯ−ＯＤＵを、第２階層の第２信号としてＨＯ−ＯＤＵを適用した場合について説明したが、これに限られない。ネットワークで処理される信号が２階層で規定され、送受信対象の上位階層の第１信号を下位階層の第２信号に収容し、ノード間の伝送を第２信号で行う場合であれば、各信号の種類、階層化のレベル等は問わない。
【００９５】
以上の各実施形態に関し、さらに以下の付記を開示する。
【００９６】
（付記１）
複数のノードがリング状に接続され、各ノードから隣接ノードに向かう第１、第２方向に信号を伝送可能であり、各伝送方向に現用回線及び予備回線が設けられるネットワーク、における信号伝送方法であって、
ネットワークの伝送路に障害が生じていない場合には、各ノードが、第１階層の第１信号を送信又は受信するときに、第１又は第２方向に隣接するノードに対し、現用回線を介して、第１信号を１又は複数収容した第２階層の第２信号を転送し、
ネットワークの伝送路に障害が生じた場合には、障害箇所の端に位置する第１ノードが、第２信号の伝送方向を切り替えて予備回線に前記第２信号を送出するとともに、第１信号の送信元又は受信先となる第２ノードが、第１信号の経路が前記障害箇所を回避するように、前記第１信号の送信方向又は受信方向として第１、第２方向のいずれかの方向を選択する、
信号伝送方法。（１）
【００９７】
（付記２）
前記第２ノードが第１、第２方向のいずれかの方向を選択することは、
仮にネットワークの伝送路に障害が生じていない場合における送信又は受信対象となる第１信号の経路上に、障害箇所が存在するときには、前記第１信号を収容する第２信号の送信方向又は受信方向を逆向きに切り替え、
前記経路上に前記障害箇所が存在しないときには、前記第１信号を収容する第２信号の送信方向又は受信方向を逆向きに切り替えないようにして行われる、
付記１に記載された信号伝送方法。（２）
【００９８】
（付記３）
送信方向又は受信方向の切替対象となる第１信号を、第２信号に収容して予備回線から送出する、又は、予備回線から受け入れた第２信号から抽出すること、
をさらに備えた、付記２に記載された信号伝送方法。
【００９９】
（付記４）
前記第１ノードが、前記第２ノードの送信対象又は受信対象となる前記第１信号に対して、障害が発生したことを示す第１情報を付加して第２ノードへ送信すること、
をさらに備え、
前記第２ノードが第１、第２方向のいずれかの方向を選択することは、
前記第２ノードが、前記第１情報が付加された第１信号を受信したときに、自ノードに隣接するノードの内、受信した前記第１信号を自ノードに送信したノードとは反対の位置にあるノードに対して、新たに前記第１信号を送信する、又は、反対の位置にあるノードから新たに前記第１信号を受信するようにして行われる、
付記１又は２に記載された信号伝送方法。（３）
【０１００】
（付記５）
前記第１ノードが、前記第１信号のオーバヘッドに前記第１情報として規定コードを書き込み、
前記第２ノードが、ネットワークから転送される第１信号のオーバヘッドから前記規定コードを認識すること、
をさらに備えた、付記４に記載された信号伝送方法。
【０１０１】
（付記６）
ネットワーク内のノードが、ネットワークにおけるノード間の接続状態を示すトポロジ情報を共有し、
送信対象又は受信対象となる第１信号のネットワークにおける経路情報を、当該第１信号の送信元又は受信先となる前記第２ノードが取得し、
ネットワークの伝送路に障害が生じた場合には、前記第２ノードが、前記第１ノードから前記障害箇所を特定するための障害箇所情報を取得すること、
をさらに備えた、付記１又は２に記載された信号伝送方法。（４）
【０１０２】
（付記７）
前記ネットワーク内のノードがトポロジ情報を共有することは、
第２信号をネットワーク内のノード間で順次転送させ、各ノードが、転送される第２信号のオーバヘッドに、予め割り当てられた自ノードの固有の識別子を順に書き込むことによって行われる、
付記６に記載された信号伝送方法。
【０１０３】
（付記８）
前記経路情報を第２ノードが取得することは、
送信対象又は受信対象となる第１信号の、ネットワークにおける経路上の各ノードが、当該第１信号のオーバヘッドに、予め割り当てられた自ノードの固有の識別子を順に書き込むことによって行われる、
付記６に記載された信号伝送方法。
【０１０４】
（付記９）
前記第２ノードが障害箇所情報を取得することは、
障害箇所の端に位置する前記第１ノードが、予め自ノードに対応して割り当てられた、ノード間の伝送路固有の識別子を、第２信号のオーバヘッドに書き込み、ネットワーク内のノード間で順次転送させることによって行われる、
付記６に記載された信号伝送方法。
【０１０５】
（付記１０）
第１信号の送信方向又は受信方向を逆向きに切り替えるときには、当該第１信号の送信元及び受信先となる第２ノード間で、第１信号のオーバヘッドを利用して切替の同期をとること、
をさらに備えた、付記１〜９のいずれかに記載された信号伝送方法。
【０１０６】
（付記１１）
複数の伝送装置がリング状に接続され、各伝送装置から隣接伝送装置に向かう第１、第２方向に信号を伝送可能であり、各伝送方向に現用回線、予備回線が設けられるネットワーク、に属する伝送装置であって、
ネットワークの伝送路に障害が生じていない場合には、第１階層の第１信号を送信又は受信するときに、第１又は第２方向に隣接する伝送装置に対し、現用回線を介して、第１信号を１又は複数収容した第２階層の第２信号を転送する送受信部と、
ネットワークの伝送路に障害が生じ、かつ、障害箇所の端に位置する場合には、第２信号の伝送方向を切り替えて予備回線に前記第２信号を送出する第１処理部と、
前記障害が生じ、かつ、第１信号の送信元又は受信先となる場合には、第１信号の経路が前記障害箇所を回避するように、前記第１信号の送信方向又は受信方向として第１、第２方向のいずれかの方向を選択する第２処理部と、
を備えた、伝送装置。（５）
【０１０７】
（付記１２）
前記第２処理部は、
仮にネットワークの伝送路に障害が生じていない場合における送信又は受信対象となる第１信号の経路上に、障害箇所が存在するときには、前記第１信号を収容する第２信号の送信方向又は受信方向を逆向きに切り替え、
前記経路上に前記障害箇所が存在しないときには、前記第１信号を収容する第２信号の送信方向又は受信方向を逆向きに切り替えないようにする、
付記５に記載された伝送装置。（６）
【０１０８】
（付記１３）
前記送受信部はさらに、
送信方向又は受信方向の切替対象となる第１信号を、第２信号に収容して予備回線から送出する、又は、予備回線から受け入れた第２信号から抽出する、
付記１２に記載された伝送装置。
【０１０９】
（付記１４）
送信対象又は受信対象の第１信号であって障害が発生したことを示す第１情報が付加された第１信号、を受信したときには、自装置に隣接する伝送装置の内、受信した前記第１信号を自装置に送信した伝送装置とは反対の位置にある伝送装置に対して、新たに前記第１信号を送信する、又は、反対の位置にある伝送装置から新たに前記第１信号を受信するように、前記第１信号の送信方向又は受信方向を決定する、
付記１１又は１２に記載された伝送装置。（７）
【０１１０】
（付記１５）
前記第１情報として、前記第１信号のオーバヘッドに規定コードが書き込まれており、前記規定コードを読み出すことで障害が発生したことを認識する、
付記１４に記載された伝送装置。
【０１１１】
（付記１６）
ネットワークにおける伝送装置間の接続状態を示すトポロジ情報と、送信対象又は受信対象となる第１信号のネットワークにおける経路情報と、を保持し、
ネットワークの伝送路に障害が生じた場合には、障害箇所の端に位置する他の伝送装置から障害箇所を特定するための障害箇所情報を取得する、
付記１１又は１２に記載された伝送装置。（８）
【０１１２】
（付記１７）
第１信号の送信方向又は受信方向を逆向きに切り替えるときには、当該第１信号の送信又は受信の相手先となる他の伝送装置との間で、第１信号のオーバヘッドを利用して切替の同期をとる、
付記１１〜１６のいずれかに記載された伝送装置。
【符号の説明】
【０１１３】
１０…送受信部(West)
１１…送受信部(East)
２０…第１スイッチ部
３０…第２スイッチ部(West)
３１…第２スイッチ部(East)
４０…制御部
２００、２０１、２０２、３０１、３０２…スイッチ群
３１３〜３１８…マルチプレクサ
３０７〜３１２…デマルチプレクサ
３２０、３２１、３２２、３２３…ＬＯ−ＯＤＵ処理部
４０１…ＨＯ−ＯＤＵスイッチ制御部
４０２…ＬＯ−ＯＤＵスイッチ制御部
【図１】
0005482102.tif 000002
【図２】
0005482102.tif 000003
【図３】
0005482102.tif 000004
【図４】
0005482102.tif 000005
【図５】
0005482102.tif 000006
【図６】
0005482102.tif 000007
【図７】
0005482102.tif 000008
【図８】
0005482102.tif 000009
【図９】
0005482102.tif 000010
【図１０】
0005482102.tif 000011
【図１１】
0005482102.tif 000012
【図１２】
0005482102.tif 000013
【図１３】
0005482102.tif 000014
【図１４】
0005482102.tif 000015
【図１５】
0005482102.tif 000016
【図１６】
0005482102.tif 000017
【図１７】
0005482102.tif 000018
【図１８】
0005482102.tif 000019
【図１９】
0005482102.tif 000020
【図２０】
0005482102.tif 000021
【図２１】
0005482102.tif 000022